(57)【要約】【課題】ユニバーサルデザインの考え方に基づき、主に、詰め替え用のシャンプーや洗剤、牛乳パック、レトルトや食品用の容器等に用いられるパウチの「開封しやすさ」の向上を目指して、幅広い年代の消費者がスムースにパウチを使用することが可能なユニバーサルデザインに基づいたパウチを提供することを課題とする。【解決手段】上記課題を解決するために、本発明の請求項１記載の発明は、フィルム外周をヒートシールしてなるパウチにおいて、前記パウチの開封起点となるノッチの切取り方向の延長線上のシール部分に、貫通孔を形成するとともに、該貫通孔に第２ノッチを形成したことを特徴とする、ユニバーサルデザインパウチである。【選択図】図１
2008110798.tif 000002
【特許請求の範囲】
【請求項１】
フィルム外周をヒートシールしてなるパウチにおいて、前記パウチの開封起点となるノッチの、切取り方向の延長線上のシール部分に、貫通孔を形成するとともに、該貫通孔に第２ノッチを形成したことを特徴とする、ユニバーサルデザインパウチ。
【請求項２】
前記貫通孔の上下部分に、それぞれ幅広なシールからなる把持部を形成したことを特徴とする、請求項１記載のユニバーサルデザインパウチ。
【請求項３】
前記把持部に、スリット若しくは孔からなる指掛部を形成したことを特徴とする、請求項１乃至２記載のユニバーサルデザインパウチ。
【請求項４】
前記貫通孔の上部分に形成された前記把持部は、前記パウチの上シールより上方に突出したシール形状を有することを特徴とする、請求項１乃至３記載のユニバーサルデザインパウチ。
【発明の詳細な説明】
【技術分野】
【０００１】
本発明は、環境および使う人（消費者）への配慮を重視したユニバーサルデザインに対応したパウチ（ユニバーサルデザインパウチ）に関する。
【背景技術】
【０００２】
従来、主にレトルト食品や、詰め替え用の洗剤、或いは無菌包装食品、鮮度保持包装食品、医薬品等の内容物を密封包装した、図９に示すような、包装体１０（パウチ１０）が知られている（例えば、特許文献１）。
【０００３】
このパウチ１０は、通常、上シール２、左右シール３、下シール４の計４辺に直線状のヒートシール（シール）を施して、略四角形状の外形を有するパウチを形成し、前記左右シール３にパウチの開封起点となる切欠き９（ノッチ９）が形成されている。そして、パウチ開封時、図１０に示すように、ノッチ９を起点に前記上シール２を含むフィルム（切取片Ｚ）を、開封方向（図中点線矢印方向）に沿って切除することによりパウチ１０の開封を行なうものである。
【０００４】
しかしながら、このパウチ１０は、前記左右シール３に形成された前記ノッチ９を起点にパウチを開封する際に、ノッチ９上下部分のフィルムをそれぞれつまんでフィルムを引き裂きづらいという問題があった。すなわち、ノッチ上下部分のフィルムは、指先で強固につまむためのシール部分が少なく、フィルムをつまむ手が滑りやすいため、力を加えてフィルムを引き裂くことが困難であり、このため、高齢者や障害を持つ人にとっては、パウチ１０の開封操作が困難であった。
【０００５】
他方、近年できるだけ多くの人が利用可能であるようデザインすることを念頭に開発されたユニバーサルデザイン商品があり、ユニバーサルデザイン商品の一例としては、安全に配慮された自動ドア、エレベータや、外国人などのために、文字の代わりに絵文字を使っての各種表示を行うものや、シャンプーのボトルに凹凸加工による印をつけ、リンスその他のボトルと区別するものがある。
【０００６】
このようにユニバーサルデザインの目的としては、だれでも公平に使えること、使う上で自由度が高いこと、使い方が簡単で、すぐに分かること、必要な情報がすぐに分かること、うっかりミスが危険につながらないこと、身体への負担が少ないこと、接近や利用するための十分な大きさと空間を確保すること、を目的としており、今後、このようなユニバーサルデザインに沿った様々な商品の開発が望まれている。
【０００７】
【特許文献１】特開平０８−０８０９７７号公報
【発明の開示】
【発明が解決しようとする課題】
【０００８】
本発明者らは、このようなユニバーサルデザインの考え方に基づき、上記パウチの「開封しやすさ」の向上を目指し、幅広い年代の消費者が、スムースにパウチを使用することが可能なユニバーサルデザインに基づいたパウチを提供することを課題とする。
【課題を解決するための手段】
【０００９】
これらの課題を解決するため、本発明の請求項１記載の発明は、フィルム外周をヒートシールしてなるパウチにおいて、前記パウチの開封起点となるノッチの、切取り方向の延長線上のシール部分に、貫通孔を形成するとともに、該貫通孔に第２ノッチを形成したことを特徴とする、ユニバーサルデザインパウチである。
【００１０】
また、請求項２記載の発明は、前記貫通孔の上下部分に、それぞれ幅広なシールからなる把持部を形成したことを特徴とする、ユニバーサルデザインパウチである。
【００１１】
また、請求項３記載の発明は、前記把持部に、スリット若しくは孔からなる指掛部を形成したことを特徴とする、ユニバーサルデザインパウチである。
【００１２】
また、請求項４記載の発明は、前記貫通孔の上部分に形成された前記把持部は、前記パウチの上シールより上方に突出したシール形状を有することを特徴とする、ユニバーサルデザインパウチである。
【発明の効果】
【００１３】
このように、本発明の請求項１記載の発明は、フィルム外周をヒートシールしてなるパウチにおいて、前記パウチの開封起点となるノッチの、切取り方向の延長線上のシール部分に、貫通孔を形成するとともに、該貫通孔に第２ノッチを形成したことを特徴とするから、前記ノッチと前記貫通孔との間のシールを切除することにより、切取片の一端が開放されて、持ちやすい形状のつまみ部が形成されることとなる。よって、このつまみ部を持ちつつパウチの開封を容易に行なうことが可能である。
【００１４】
また、請求項２記載の発明は、前記貫通孔の上下部分に、それぞれ幅広なシールからなる把持部を形成したことを特徴とするから、パウチを安定して保持することが可能であるとともに、パウチの開封をスムースに行なうことが可能である。
【００１５】
また、請求項３記載の発明は、前記把持部に、スリット若しくは孔からなる指掛部を形成したことを特徴とするから、パウチの開封時、フィルムをつまむ指先が滑ることなく、指掛部に指先を掛けて、強固にフィルムを引きつつスムースにパウチの開封を行なうことが可能である。
【００１６】
また、請求項４記載の発明は、前記貫通孔の上部分に形成された前記把持部は、前記パウチの上シールより上方に突出したシール形状を有することを特徴とするから、パウチの開封時、切取片を切り取り方向へと引く際に、指先がパウチの上シール部に当接することなく、スムースにパウチの開封を行なうことが可能である。よって、つまみ部を側面や上方から持ち、パウチの開封操作を行なった場合でも、常にパウチの開封をスムースに行なうことが可能である。
【発明を実施するための最良の形態】
【００１７】
本発明のユニバーサルパウチ１０（パウチ１０）の一例としては、図１に示すように、パウチ１０の中央部分に、予め所定の方法により内容物が充填される未シール部分からなる収容部１を有し、該収容部１の外周（上シール２、左右シール３、下シール４）の計４辺にヒートシールが施され４方シールパウチ１０を形成している。このようなパウチ１０としては、４方シール形式のパウチに限らず、スタンドパウチや、ガゼット袋やピロー袋など、フィルムの外周をシールしてなるパウチ１０であれば、パウチ１０の種類や形状は限定されるものではない。
【００１８】
前記パウチは、パウチ１０の左シール３の一端部分に、パウチ開封時に前記上シール２を含む切取片Ｚを開封方向（水平方向）へと切除する際に開封起点となる切欠き９（ノッチ９）が形成され、特に、ノッチ９の切取り方向（開封方向）の延長線上には、しずく形状の貫通孔７が形成されている。
【００１９】
この貫通孔７は、図２に示すように、調理時等において、パウチ１０をボイル等の熱湯調理をする際に、熱したパウチに直接手で触れることなく、箸やスプーンの柄等の棒状部材Ｂを用いて、熱したパウチ１０をぶら下げるために好都合である。
【００２０】
特に、前記貫通孔７は、図３に示すように、前記ノッチ９の切取り方向の延長線上Ｆ（図中点線上）に位置しており、前記貫通孔７右側のシール部分には、さらに開封方向へと第２ノッチ９'が形成されている。よって、後述する、パウチ開封時、前記ノッチ９から前記貫通孔７左側までのシール部分Ａと、前記貫通孔７右側の前記第２ノッチ９'からパウチ１０の他端までのフィルムとを、それぞれ切り取る２段階の開封操作を経て、パウチの開封を行なうとともに、シール部分Ａを切り取ることにより、切取片Ｚの一端が開放されて、持ちやすい形状のつまみ部８を形成することが可能である。
【００２１】
また、前記パウチの前記貫通孔７の上下部分に、それぞれ幅広なシールからなる把持部６，８（保持部６，つまみ部８）を形成してもよく、後述する、パウチ１０を安定して保持することが可能な効果がある。
【００２２】
特に、貫通孔７の上部分に形成された前記把持部８（つまみ部８）は、前記上シール部２よりも上方へと突出した形状を有しており、このため、後述する、パウチ１０の開封時において、切取片Ｚを切り取り方向へと引く際に、切取片Ｚをつまんだ指先Ｙがパウチの上シール部分２に当接することなく、スムースにパウチ１０の開封を行なうことが可能である。
【００２３】
さらには、前記つまみ部８に、スリットＳ若しくは孔Ｋからなる指掛部５を形成することにより、後述する、パウチ開封時において、切取片Ｚをつまむ指先がすべることなく、強固かつ確実に切取片Ｚを切除することが可能である。
【００２４】
以下に、本発明のユニバーサルデザインパウチ１０（パウチ１０）の開封方法について説明する。
まず、前記パウチ１０の開封時、前記ノッチ９から前記貫通孔７までの間のシール部分Ａを切除することにより、図４に示すように、切取片Ｚのつまみ部８が一気に貫通孔７の第２ノッチ手前まで切除されることとなる。このとき、切取片Ｚの一端が開放されるとともに、持ちやすい形状からなるつまみ部８が形成されることとなる。よって、このつまみ部８を強固につまむことが可能であり、以後の開封操作（第２ノッチ９'からパウチ１０の他端）を、スムースかつ容易に行なうことが可能である。
【００２５】
特に、前記ノッチ９から貫通孔７までの間のシール部分Ａはシール幅が狭く、このため、少ない力でもって簡単に切除することが可能である。よって、シール部分Ａを簡単に切除して、図５に示すように、大きなつまみ部８を形成し、該つまみ部８をつまみつつ、力を加えて強固に切取片Ｚを切除することが可能である。また、前記つまみ部８は、上シール２より上方へと突出した形状を有しており、このため、切取片Ｚを引っぱる指Ｙが、上シール部分２に当接してしまうことなく、切り取り方向へとスムースに引っぱることが可能である。
【００２６】
また、前記貫通孔７の上下部分には、それぞれ幅広なシールからなる把持部６，８が形成されており、一方の手でパウチ本体側の幅広なシールからなる前記保持部６を強固につまみパウチを安定して保持しつつ、他方の手で切取片Ｚの幅広なシールからなる前記つまみ部８を強固につまんで、これらを引き離しパウチ１０の開封をスムースに行なうことが可能である。
【００２７】
また、本発明のユニバーサルデザインパウチ１０は、上記構成に加えて、前記つまみ部８のシール部分に、スリットＳもしくは孔Ｋからなる指掛部５を形成してもよく、これにより、パウチ開封時、指掛部５に指先を掛けて、切取片Ｚをさらに強固につまむことが可能である。よって、切取片Ｚのフィルムをつまむ指先が滑ることなく、パウチ１０の開封性をさらに向上することが可能である。
【００２８】
例えば、前記つまみ部８に、スリットＳからなる指掛部５を形成した場合、つまみ部８を指先でつまむ際に、図６に示すように、前記スリットＳに沿ってつまみ部８が折れ曲がるとともに、指先にフィットした湾曲面Ｗを形成する。よって、該湾曲面Ｗを指先でつまんだ状態で、力を加えて前記切取片Ｚを引くことが可能であり、フィルムをつまむ指が滑ることなく、少ない力でもって確実にパウチ１０の開封を行なうことが可能である。
【００２９】
他方、図７に示すように、前記つまみ部８に孔Ｋからなる指掛部５を形成した場合、つまみ部８を指先でつまんだ際に、図８に示すように、前記孔Ｋの外側フィルムが折れ曲がるとともに、指先にフィットした湾曲面Ｗを形成するため、孔Ｋに指先を掛けた状態で、力を加えて前記切取片Ｚを引くことが可能であり、フィルムをつまむ指が滑ることなく、少ない力でもって確実にパウチ１０の開封を行なうことが可能である。
【００３０】
以上のように、本発明のパウチ１０は、前記パウチ１０の開封起点となるノッチ９の、切取り方向の延長線上Ｆのシール部分に、前記パウチ１０をボイル等した後、箸やスプーンの柄を通して前記パウチ１０を持ち上げることが可能な貫通孔７を形成するとともに、貫通孔７に第２ノッチを形成する簡単な構成により、パウチ１０の開けやすさ、使用性を向上することが可能である。
【００３１】
また、上記構成に加えて、前記貫通孔７の上下部分に、それぞれ幅広なシールからなる把持部６，８を形成することにより、パウチ１０を安定して保持することができるとともに、前記つまみ８にスリットＳ若しくは孔Ｋからなる指掛部５を形成することにより、パウチ１０開封時、指掛部５に指先を掛けつつ強固に切取片Ｚを引いて切除することが可能である。
【００３２】
さらには、前記貫通孔７の上部分に形成された前記把持部８（つまみ部８）は、前記パウチの上シール２より上方に突出するように構成することにより、パウチ開封時に、切取片Ｚをもつ指先Ｙが上シール部分２に当接することなく、よりスムースにパウチ１０の開封を行なうことが可能である。
【００３３】
このように本発明のパウチ１０は、幅広い層の消費者が、スムースにパウチ１０を開封可能とするユニバーサルデザインパウチ１０を提供することが可能である。
【００３４】
本発明のユニバーサルデザインパウチ１０の好適な用途の一例としては、例えば、詰め替え用のシャンプーや洗剤、牛乳パック、レトルトや食品用の容器、歯磨き粉チューブ、さらには、紙にアルミを蒸着したシップの包装材など、パウチ１０の「開封性」、「使用性」を向上可能な容器形態であれば、パウチ１０の形態や形状は特に限定されるものではない。
【００３５】
また、前記貫通孔７の形状として、しずく形状のものを示したが、これに限定されるものではなく、前記パウチをボイル等した後、箸やスプーンの柄を通して前記パウチ１０を持ち上げることが可能であり、かつ、つまみやすい形状からなる前記つまみ部８を形成することが可能であれば、前記貫通孔７の形状は限定されるものではない。
【００３６】
また、本発明のパウチ１０に用いるフィルムは、主にプラスチックフィルムを主体とする積層フィルムが用いられ、例えば、液体を含む各種食品用パウチに用いられている従来公知の積層フィルムを用いることができ、特に限定されるものではない。
【００３７】
前記積層フィルムの構成としては、充填される流動食の種類や充填後の加圧加熱殺菌時に加えられる加熱条件などによって適宜選定することができ、好適に用いられる前記積層フィルムの一例としては、下記に示す構成の積層フィルムが挙げられる。
（１） ＰＥＴフィルム／接着剤／アルミニウム箔／接着剤／ＯＮフィルム／接着剤／ＣＰＰフィルム（シーラント層）
（２）ＰＥＴフィルム／接着剤／ＯＮフィルム／接着剤／アルミニウム箔／接着剤／ＣＰＰフィルム（シーラント層）
（３）ＰＥＴフィルム／接着剤／ＥＶＯＨフィルム／接着剤／ＯＮフィルム／接着剤／ＣＰＰフィルム（シーラント層）
（４）ＰＥＴフィルム／接着剤／一軸延伸ＰＰフィルム／接着剤／アルミニウム箔／接着剤／ＣＰＰフィルム（シーラント層）
（５）ＰＥＴフィルム／接着剤／（シリカまたはアルミナ蒸着層）ＯＮフィルム／接着剤／ＣＰＰフィルム（シーラント層）
【００３８】
上記構成において、ＰＥＴフィルムは２軸延伸ポリエチレンテレフタレートフィルム、ＯＮフィルムは２軸延伸ナイロンフィルム、ＰＰフィルムはポリプロピレンフィルム、ＣＰＰフィルムは無延伸ポリプロピレンフィルム、ＥＶＯＨフィルムはエチレン−酢酸ビニル共重合体ケン化物フィルム、（シリカまたはアルミナ蒸着層）ＯＮフィルムはシリカまたはアルミナを蒸着した２軸延伸ナイロンフィルムを指すものである。
【００３９】
前記ＰＥＴフィルムやＯＮフィルムは、基材フィルムとして作用し、パウチに機械的強度のほか耐熱性、印刷適性などを付与する。また、中間層のアルミニウム箔、ＥＶＯＨフィルム、（シリカまたはアルミナ蒸着層）ＯＮフィルムは、パウチにガスバリヤー性を付与することが可能である。一軸延伸ＰＰフィルムは、本発明のパウチ１０では、その延伸方向がパウチを開封する方向と一致するように積層することにより、切取片Ｚのフィルムを切除する際、開封方向に沿って容易にフィルムを切り取ることが可能である。
【００４０】
また、最内層の前記ＣＰＰフィルムは、ヒートシール用のシーラント層として作用すると共に、耐熱性、低臭性に優れるので、パウチごと加圧加熱殺菌される流動食用のパウチには好ましく用いられる。尚、上述した各フィルム材と同様な作用効果を有するものであれば、前記の積層構成に限定されるものではなく適宜変更してもよい。
【図面の簡単な説明】
【００４１】
【図１】本発明のパウチの一例を示す図である。
【図２】本発明のパウチの使用時の一例を示す説明図である。
【図３】本発明のパウチの一例を示す正面図である。
【図４】本発明のパウチの開封時を示す説明図である。
【図５】本発明のパウチの開封時を示す説明図である。
【図６】本発明のパウチの開封時を示す説明図である。
【図７】本発明のパウチの別の例を示す図である。
【図８】本発明のパウチの開封時を示す説明図である。
【図９】従来のパウチを示す図である。
【図１０】従来のパウチの開封時を示す説明図である。
【符号の説明】
【００４２】
１  収容部
２  上シール部
３  左右シール部
４  下シール部
５  指掛部
６  把持部（保持部）
７  貫通孔
８  把持部（つまみ部）
９  ノッチ
９'  第２ノッチ
１０  ユニバーサルデザインパウチ（パウチ）
Ｓ  スリット
Ｋ  孔
Ｚ  切取片
Ｆ  切取り方向（延長線）
【図１】
2008110798.tif 000003
【図２】
2008110798.tif 000004
【図３】
2008110798.tif 000005
【図４】
2008110798.tif 000006
【図５】
2008110798.tif 000007
【図６】
2008110798.tif 000008
【図７】
2008110798.tif 000009
【図８】
2008110798.tif 000010
【図９】
2008110798.tif 000011
【図１０】
2008110798.tif 000012